(57)【要約】【課題】上りリンク通信のためのリソースを効率的に利用できるようにする。【解決手段】無線基地局１は、通信装置２，３，４からデータを受信可能である。制御部１ａは、通信装置２，３，４によるデータ送信に使用され得るリソースのうち、データ送信を許可した通信装置（例えば、通信装置２）に割り当てを行った後の空きリソースを用いて、データ送信を許可していない通信装置の一部または全部（例えば、通信装置３）にリソースを割り当てる。受信部１ｂは、制御部１ａが割り当てたリソースを介して、データ送信を許可していない通信装置から、当該通信装置のデータ送信についての情報を受信する。【選択図】図１
2010153971.tif 000002
【特許請求の範囲】
【請求項１】
複数の通信装置からデータを受信可能な無線基地局であって、
前記複数の通信装置によるデータ送信に使用され得るリソースのうち、データ送信を許可した通信装置に割り当てを行った後の空きリソースを用いて、データ送信を許可していない通信装置の一部または全部にリソースを割り当てる制御部と、
前記制御部が割り当てたリソースを介して、前記データ送信を許可していない通信装置から、当該通信装置のデータ送信についての情報を受信する受信部と、
を有することを特徴とする無線基地局。
【請求項２】
前記制御部は、前記空きリソースの大きさに応じて、前記データ送信を許可していない通信装置のうちリソースを割り当てる通信装置の数を制御することを特徴とする請求項１記載の無線基地局。
【請求項３】
前記制御部は、前記データ送信を許可していない通信装置のうち前回にリソースを割り当てなかった通信装置を優先して、リソースを割り当てることを特徴とする請求項１記載の無線基地局。
【請求項４】
前記制御部は、前記データ送信を許可していない通信装置それぞれの優先度に応じて、リソースを割り当てる通信装置を選択することを特徴とする請求項１記載の無線基地局。
【請求項５】
前記制御部は、前記データ送信の要求を示す情報に対応して受信される制御チャネルの信号に基づいて、リソースを割り当てる通信装置を選択することを特徴とする請求項１記載の無線基地局。
【請求項６】
前記制御部は、前記データ送信を許可していない通信装置のうち誤りが検出された前記データ送信についての情報を送信した通信装置を優先して、リソースを割り当てることを特徴とする請求項１記載の無線基地局。
【請求項７】
前記制御部は、前記データ送信を許可していない通信装置のうち高優先度の通信装置に割り当てるための前記空きリソースが不足している場合、前記データ送信を許可した通信装置に割り当てるリソースを削減することを特徴とする請求項１記載の無線基地局。
【請求項８】
複数の通信装置からデータを受信可能な無線基地局の通信制御方法であって、
前記複数の通信装置によるデータ送信に使用され得るリソースのうち、データ送信を許可した通信装置に割り当てを行った後の空きリソースを用いて、データ送信を許可していない通信装置の一部または全部にリソースを割り当て、
割り当てたリソースを介して、前記データ送信を許可していない通信装置から、当該通信装置のデータ送信についての情報を受信する、
ことを特徴とする通信制御方法。
【発明の詳細な説明】
【技術分野】
【０００１】
本件は無線基地局および通信制御方法に関する。
【背景技術】
【０００２】
現在、携帯電話システムや無線ＬＡＮ（Local Area Network）などの無線通信システムが広く利用されている。無線通信システムでは、複数の通信装置から無線基地局への方向の通信（上りリンク通信）のスケジューリングを、無線基地局の主導で制御することが考えられる。例えば、無線基地局が通信装置にリソースを割り当て、通信装置は割り当てられたリソースの範囲でデータ送信を行う方法が考えられる。上りリンク通信の制御技術としては、ＣＤＭＡ（Code Division Multiple Access）方式のシステムに適用可能なＨＳＵＰＡ（High Speed Uplink Packet Access）がある（例えば、非特許文献１参照）。
【０００３】
ＨＳＵＰＡを適用した携帯電話システムの例として、基地局装置が各通信端末装置からレート要求情報を受信して、上り回線パケットの送信を許可する通信端末装置を選択し、選択した通信端末装置の識別子を含むスケジューリング結果情報をＥ−ＡＧＣＨ（E-DCH Absolute Grant Channel）で送信するものがある（例えば、特許文献１参照）。また、無線基地局が移動局からのデータチャネルの受信結果に応じて送達確認信号（ＡＣＫ／ＮＡＣＫ／ＤＴＸ）を送信し、移動局が無線基地局からの送達確認信号に応じて送信電力を制御するものがある（例えば、特許文献２参照）。
【特許文献１】特開２００６−３１１４１１号公報
【特許文献２】特開２００６−１４０６５０号公報
【非特許文献１】3GPP(3rd Generation Partnership Project), "FDD Enhanced Uplink; Overall description", TS 25.309 V6.6.0, 2006-03.
【発明の開示】
【発明が解決しようとする課題】
【０００４】
ところで、データ送信が許可されていない通信装置は、データ送信を開始／再開するために、無線基地局にその旨の要求をすることが考えられる。無線基地局は、通信装置からデータ送信の要求を受けたことを契機として、その通信装置にデータ送信用のリソースを割り当ててデータ送信を許可する（例えば、ゼロより大きい許容送信電力を設定する）ことができる。
【０００５】
しかし、このような制御方法では、データ送信の要求に用いられるリソースの確保が問題となる。データ送信の要求は常に行われるものではないため（例えば、各通信装置の判断で必要に応じて行われるものであるため）、データ送信が許可されていない通信装置に常にデータ送信の要求のためのリソースを割り当てておくことは、リソースの有効活用の観点から好ましくない。
【０００６】
本件はこのような点に鑑みてなされたものであり、上りリンク通信のためのリソースを効率的に利用できるようにする無線基地局および通信制御方法を提供することを目的とする。
【課題を解決するための手段】
【０００７】
上記課題を解決するために、複数の通信装置からデータを受信可能な無線基地局が提供される。この無線基地局は、制御部と受信部とを有する。制御部は、複数の通信装置によるデータ送信に使用され得るリソースのうち、データ送信を許可した通信装置に割り当てを行った後の空きリソースを用いて、データ送信を許可していない通信装置の一部または全部にリソースを割り当てる。受信部は、制御部が割り当てたリソースを介して、データ送信を許可していない通信装置から、当該通信装置のデータ送信についての情報を受信する。
【０００８】
また、上記課題を解決するために、複数の通信装置からデータを受信可能な無線基地局の通信制御方法が提供される。この通信制御方法では、複数の通信装置によるデータ送信に使用され得るリソースのうち、データ送信を許可した通信装置に割り当てを行った後の空きリソースを用いて、データ送信を許可していない通信装置の一部または全部にリソースを割り当てる。割り当てたリソースを介して、データ送信を許可していない通信装置から、当該通信装置のデータ送信についての情報を受信する。
【発明の効果】
【０００９】
上記無線基地局および通信制御方法によれば、上りリンク通信のためのリソースを効率的に利用することができる。
【発明を実施するための最良の形態】
【００１０】
以下、本実施の形態を図面を参照して詳細に説明する。
図１は、無線基地局の例を示す図である。無線基地局１は、通信装置２，３，４からデータを受信可能である。通信装置２，３，４としては、例えば、移動通信装置や固定無線通信装置を用いることができる。無線基地局１は、通信装置２，３，４から受信するデータ送信についての情報に基づいて、各通信装置に対するデータ送信の許可／不許可およびリソース割り当てを制御する。無線基地局１は、制御部１ａと受信部１ｂとを有する。
【００１１】
制御部１ａは、通信装置２，３，４によるデータ送信に使用され得るリソースのうち、データ送信を許可した通信装置に割り当てを行った後の空きリソースを特定する。そして、データ送信を許可していない通信装置の一部または全部に、空きリソースの中からリソースを割り当てる。データ送信に使用され得るリソースとしては、例えば、Ｅ−ＤＰＤＣＨ（E-DCH Dedicated Physical Data Channel）などの上りデータチャネルのリソースが考えられる。なお、データ送信を許可していない通信装置に割り当てた上りデータチャネルのリソースは、control onlyのリソースと呼ばれることがある。
【００１２】
受信部１ｂは、データ送信を許可した通信装置からの信号に対して、復調・復号などの受信処理を行う。また、受信部１ｂは、データ送信を許可していない通信装置のうち制御部１ａでリソースを割り当てた通信装置からの信号に対して受信処理を行う。後者の受信処理により、送信元のデータ送信についての情報が抽出されることがある。データ送信についての情報には、例えば、データ送信の開始を要求する情報や、送信待ちのユーザデータのサイズを示す情報を含めることができる。なお、制御部１ａでリソースを割り当てなかった通信装置からの信号は、受信処理を行わずに無視してもよい。
【００１３】
ここで、制御部１ａは、データ送信を許可した通信装置へのリソース割り当て後の空きリソースに応じて、データ送信についての情報を送信するためのリソースを割り当てる通信装置の数を制御することが可能である。例えば、制御部１ａは、空きリソースが多い場合、データ送信を許可していない全ての通信装置にリソースを割り当てることも考えられる。一方、空きリソースが少ない場合、データ送信を許可していない何れの通信装置にもリソースを割り当てないことも考えられる。また、データ送信のために使用できずに残った半端な量のリソースを、データ送信の要求のために使用することも考えられる。
【００１４】
データ送信を許可していない通信装置の一部にリソースを割り当てる場合、制御部１ａは、リソースを割り当てる通信装置を様々な基準で選択することが可能である。例えば、制御部１ａは、ラウンドロビンスケジューリングなどにより、前回にリソースを割り当てなかった通信装置を優先して選択する方法が考えられる。また、各通信装置に設定された優先度に応じて選択する方法も考えられる。また、Ｅ−ＤＰＣＣＨ（E-DCH Dedicated Physical Control Channel）などの上り制御チャネルの受信状況に基づいて選択する方法も考えられる。また、誤りが検出されたデータ送信の要求を示す情報を過去に送信した通信装置を優先して選択する方法も考えられる。
【００１５】
データ送信を許可していない通信装置へのリソース割り当ての結果は、無線基地局１がそれら通信装置に通知してもよいし、通知しなくてもよい。後者の場合であっても、データ送信が許可されていない通信装置は、データ送信についての情報の送信に対して無線基地局１から応答が得られないことで、リソースが自装置に割り当てられていなかったことを知ることができる。その場合、応答を得られなかった通信装置は、その後リソースが割り当てられることを期待して、データ送信についての情報を再送信することが考えられる。
【００１６】
例えば、無線基地局１は、通信装置２にデータ送信を許可し、通信装置３，４にデータ送信を許可していないとする。この場合、無線基地局１は、まず通信装置２がデータ送信を行うためのリソースを確保する。次に、空きリソースとして、１つの通信装置がデータ送信についての情報を送信できるだけのリソースが残っているとする。この場合、無線基地局１は、通信装置３，４の一方（ここでは、通信装置３）にリソースを割り当てる。以上のリソース割り当ての結果、無線基地局１は、通信装置２からのデータと通信装置３からのデータ送信についての情報とを受信することができる。
【００１７】
このような無線基地局１によれば、制御部１ａにより、通信装置２，３，４によるデータ送信に使用され得るリソースのうち、データ送信を許可した通信装置に割り当てが行われた後の空きリソースを用いて、データ送信を許可していない通信装置の一部または全部にリソースが割り当てられる。そして、受信部１ｂにより、制御部１ａで割り当てたリソースを介して、データ送信を許可していない通信装置から、当該通信装置のデータ送信についての情報が受信される。
【００１８】
これにより、データ送信用のリソースを優先的に確保しつつ、空きリソースを活用してデータ送信を許可していない通信装置にリソースを割り当てることができる。例えば、無線基地局１の受信データ量が多いときはデータ送信を許可していない通信装置用のリソースを確保せず、受信データ量が少なくなったときにリソースを確保することが可能となる。また、データ送信には不足する量であるがデータ送信についての情報（例えば、データ送信の要求）には十分な量のリソースが残っている場合に、その空きリソースを活用することもできる。
【００１９】
この結果、データ送信を開始（または再開）するか否かわからない通信装置に対して常にリソースを確保することを回避し、割り当てリソースの無駄を抑制できる。すなわち、上りリンクのリソースを効率的に利用でき、上りリンク通信のスループットを向上させることができる。これは、無線基地局１の収容する通信装置数が多いときに特に有効となる。
【００２０】
以下、無線基地局１の通信制御方法をＨＳＵＰＡ方式の移動通信システムに適用した例について、更に詳細に説明する。ただし、無線基地局１の通信制御方法は、移動通信システム以外の種類の通信システムに適用することもできるし、ＨＳＵＰＡ方式以外の通信方式を採用した通信システムに適用することも可能である。
【００２１】
［第１の実施の形態］
図２は、移動通信システムのシステム構成を示す図である。本実施の形態に係る移動通信システムは、無線基地局１００、移動局２００，２００ａ，２００ｂ，２００ｃおよび無線ネットワーク制御装置（ＲＮＣ：Radio Network Controller）３００を有する。
【００２２】
無線基地局１００は、移動局２００，２００ａ，２００ｂ，２００ｃと無線通信が可能な通信装置である。無線基地局１００は、上位局であるＲＮＣ３００と接続されており、移動局２００，２００ａ，２００ｂ，２００ｃとＲＮＣ３００との間でユーザデータを中継する。その際、無線基地局１００は、移動局２００，２００ａ，２００ｂ，２００ｃやＲＮＣ３００から受信する制御情報に基づいて、無線リンクを制御する。
【００２３】
移動局２００，２００ａ，２００ｂ，２００ｃは、無線基地局１００のカバーエリア内において無線基地局１００と無線通信が可能な通信端末装置であり、例えば、携帯電話機である。移動局２００，２００ａ，２００ｂ，２００ｃは、無線基地局１００による制御のもと、上りリンクでユーザデータを無線基地局１００に送信すると共に、下りリンクで無線基地局１００からユーザデータを受信する。
【００２４】
ＲＮＣ３００は、無線基地局１００を含めた複数の無線基地局を制御する通信装置である。ＲＮＣ３００は、無線基地局１００およびコアネットワーク（図示せず）に接続されており、無線基地局１００とコアネットワークとの間でユーザデータを中継する。ＲＮＣ３００は、移動局２００，２００ａ，２００ｂ，２００ｃが複数の無線基地局と通信しているとき、これら複数の無線基地局から受信するユーザデータを集約する。また、ＲＮＣ３００は、移動局２００，２００ａ，２００ｂ，２００ｃのハンドオーバを制御する。
【００２５】
なお、無線基地局１００と移動局２００，２００ａ，２００ｂ，２００ｃとの間の通信回線をＵｕ回線、無線基地局１００とＲＮＣ３００との間の通信回線をＩｕｂ回線、ＲＮＣ３００とコアネットワークとの間の通信回線をＩｕ回線、ＲＮＣ３００と他のＲＮＣとの間の通信回線をＩｕｒ回線と呼ぶことがある。また、無線基地局１００とＲＮＣ３００との間には中継装置が介在していてもよく、無線基地局１００と移動局２００，２００ａ，２００ｂ，２００ｃとの間には無線リレー局が介在していてもよい。
【００２６】
ここで、上りリンクの通信チャネルには、Ｅ−ＤＰＤＣＨ、Ｅ−ＤＰＣＣＨおよびＤＰＣＣＨ（Dedicated Physical Control Channel）が含まれる。また、下りリンクの通信チャネルには、Ｅ−ＨＩＣＨ（E-DCH HARQ Acknowledgement Indicator Channel）、Ｅ−ＡＧＣＨおよびＥ−ＲＧＣＨ（E-DCH Relative Grant Channel）が含まれる。なお、上記３つの上り通信チャネルは個別チャネルであり、上記３つの下り通信チャネルは共有チャネルである。
【００２７】
Ｅ−ＤＰＤＣＨは、ユーザデータとしてのＥ−ＤＣＨ（Enhanced Dedicated Channel）データと、データ送信の要求を示すスケジューリング情報（ＳＩ）とを伝送する。スケジューリング情報には、送信元の移動局にバッファリングされているＥ−ＤＣＨデータ量を示すＴＥＢＳ（Total E-DCH Buffer Status）が含まれる。Ｅ−ＤＰＣＣＨは、Ｅ−ＤＰＤＣＨの復号に用いるＥ−ＴＦＣＩ（E-DCH Transport Format Combination Indicator）と、Ｅ−ＤＣＨデータの再送回数を示すＲＳＮ（Retransmission Sequence Number）とを伝送する。ＤＰＣＣＨは、上りリンクの同期確立に用いるパイロットビットを伝送する。
【００２８】
Ｅ−ＨＩＣＨは、無線基地局１００におけるＥ−ＤＣＨデータの受信結果の通知（ＡＣＫ、ＮＡＣＫまたはＤＴＸ）を伝送する。Ｅ−ＨＩＣＨでは、複数の移動局宛ての通知を多重できる。Ｅ−ＡＧＣＨは、許容する送信電力の絶対値を示すＡＧ値と、許容する送信タイミングを示すＡＧスコープとを伝送する。Ｅ−ＲＧＣＨは、許容送信電力の現状からの変更を示す通知（例えば、ＵＰ、ＨＯＬＤまたはＤＯＷＮ）を伝送する。Ｅ−ＲＧＣＨでは、複数の移動局宛ての通知を多重できる。
【００２９】
図３は、無線基地局を示すブロック図である。無線基地局１００は、無線受信部１０１、Ｅ−ＤＰＤＣＨ逆拡散部１０２、Ｅ−ＤＰＤＣＨ復号部１０３、Ｅ−ＤＰＣＣＨ逆拡散部１０４、Ｅ−ＤＰＣＣＨ復号部１０５、ＤＰＣＣＨ逆拡散部１０６、電力算出部１０７、ＲＴＷＰ算出部１０８、ＵＬリソース管理部１０９、Ｇｒａｎｔ管理部１１０、Ｅ−ＤＣＨデータバッファ１１１、ネットワークインタフェース１１２、ビットレート算出部１１３、ＨＡＲＱ制御部１１４、チャネル符号化部１１５、Ｓｉｇｎａｔｕｒｅ処理部１１６、拡散部１１７、送信電力制御部１１８および無線送信部１１９を有する。
【００３０】
無線受信部１０１は、アンテナを介して移動局２００，２００ａ，２００ｂ，２００ｃからの信号を受信し、受信信号に対して周波数帯の変換やＡ／Ｄ（Analog to Digital）変換などの無線信号処理を行う。そして、無線受信部１０１は、得られた受信ベースバンド信号を、Ｅ−ＤＰＤＣＨ逆拡散部１０２、Ｅ−ＤＰＣＣＨ逆拡散部１０４、ＤＰＣＣＨ逆拡散部１０６およびＲＴＷＰ算出部１０８に出力する。
【００３１】
Ｅ−ＤＰＤＣＨ逆拡散部１０２は、無線受信部１０１から取得した受信ベースバンド信号に対して逆拡散を行い、移動局毎のＥ−ＤＰＤＣＨ信号を抽出（復調）する。逆拡散を行う際の拡散コードは、例えば、各移動局に予め割り当てたものを使用する。そして、Ｅ−ＤＰＤＣＨ逆拡散部１０２は、復調されたＥ−ＤＰＤＣＨ信号をＥ−ＤＰＤＣＨ復号部１０３に出力する。
【００３２】
Ｅ−ＤＰＤＣＨ復号部１０３は、Ｅ−ＤＰＤＣＨ逆拡散部１０２から取得したＥ−ＤＰＤＣＨ信号を、Ｅ−ＤＰＣＣＨ復号部１０５から取得するＥ−ＴＦＣＩおよびＲＳＮを用いて復号する。そして、Ｅ−ＤＰＤＣＨ復号部１０３は、復号により得られたＥ−ＤＣＨデータをＥ−ＤＣＨデータバッファ１１１に格納し、スケジューリング情報をＧｒａｎｔ管理部１１０に出力する。
【００３３】
その際、Ｅ−ＤＰＤＣＨ復号部１０３は、Ｅ−ＤＣＨデータについて必要に応じてＨＡＲＱ（Hybrid Automatic Repeat Request）合成を行う。すなわち、取得したＥ−ＤＣＨデータが再送データである場合、Ｅ−ＤＰＤＣＨ復号部１０３は、Ｅ−ＤＣＨデータバッファ１１１に保持されている前回のＥ−ＤＣＨデータ（誤りが検出されたＥ−ＤＣＨデータ）と今回取得したＥ−ＤＣＨデータとを合成する。そして、合成後のＥ−ＤＣＨデータをＥ−ＤＣＨデータバッファ１１１に格納する。
【００３４】
Ｅ−ＤＰＣＣＨ逆拡散部１０４は、無線受信部１０１から取得した受信ベースバンド信号に対して逆拡散を行い、移動局毎のＥ−ＤＰＣＣＨ信号を抽出（復調）する。逆拡散を行う際の拡散コードは、例えば、各移動局に予め割り当てたものを使用する。そして、Ｅ−ＤＰＣＣＨ逆拡散部１０４は、復調されたＥ−ＤＰＣＣＨ信号をＥ−ＤＰＣＣＨ復号部１０５に出力する。
【００３５】
Ｅ−ＤＰＣＣＨ復号部１０５は、Ｅ−ＤＰＣＣＨ逆拡散部１０４から取得したＥ−ＤＰＣＣＨ信号を復号して、Ｅ−ＴＦＣＩおよびＲＳＮを抽出する。そして、Ｅ−ＤＰＣＣＨ復号部１０５は、Ｅ−ＴＦＣＩおよびＲＳＮをＥ−ＤＰＤＣＨ復号部１０３に出力すると共に、Ｅ−ＴＦＣＩを電力算出部１０７に出力する。また、Ｅ−ＤＰＣＣＨ復号部１０５は、復号により得られた情報をビットレート算出部１１３に出力する。
【００３６】
ＤＰＣＣＨ逆拡散部１０６は、無線受信部１０１から取得した受信ベースバンド信号に対して逆拡散を行い、移動局毎のＥ−ＤＰＣＣＨ信号を抽出（復調）する。その際、ＤＰＣＣＨ逆拡散部１０６は、Ｅ−ＤＰＣＣＨの受信電力を測定し、Ｅ−ＤＰＣＣＨ電力値を電力算出部１０７に出力する。
【００３７】
電力算出部１０７は、Ｅ−ＤＰＣＣＨ復号部１０５から取得したＥ−ＴＦＣＩと、ＤＰＣＣＨ逆拡散部１０６から取得したＤＰＣＣＨ電力値とに基づいて、Ｅ−ＤＰＤＣＨ電力値およびＥ−ＤＰＣＣＨ電力値を算出する。すなわち、ＤＰＣＣＨに対するＥ−ＤＰＤＣＨおよびＥ−ＤＰＣＣＨの電力オフセットを特定することで、これら電力値を算出する。そして、電力算出部１０７は、Ｅ−ＤＰＤＣＨ電力値およびＥ−ＤＰＣＣＨ電力値をＧｒａｎｔ管理部１１０に出力する。
【００３８】
ＲＴＷＰ算出部１０８は、無線受信部１０１から取得した受信ベースバンド信号に基づいて、無線基地局１００の全受信電力を測定する。そして、ＲＴＷＰ算出部１０８は、全受信電力を示すＲＴＷＰ（Received Total Wideband Power）情報を、ネットワークインタフェース１１２に出力する。
【００３９】
ＵＬリソース管理部１０９は、Ｇｒａｎｔ管理部１１０からの通知に基づいて、Ｅ−ＤＰＤＣＨ逆拡散部１０２およびＥ−ＤＰＤＣＨ復号部１０３の処理能力の割り当てを管理する。例えば、ＵＬリソース管理部１０９は、Ｅ−ＤＰＤＣＨ逆拡散部１０２およびＥ−ＤＰＤＣＨ復号部１０３に、何れの移動局からの拡散信号を逆拡散・復号させるかを指示する。なお、Ｅ−ＤＰＣＣＨの拡散信号については、Ｅ−ＤＰＤＣＨと同様に逆拡散・復号の対象を限定するようにしてもよいし、限定せずに全て逆拡散・復号してもよい。
【００４０】
Ｇｒａｎｔ管理部１１０は、電力算出部１０７から取得した電力値の情報に基づいて、Ｅ−ＤＰＤＣＨの無線リソース（例えば、拡散符号や時間帯で特定されるリソース）の各移動局への割り当てを管理し、割り当て量に対応する送信電力の許可（ＳｅｒｖｉｎｇＧｒａｎｔ）を決定する。そして、ＳｅｒｖｉｎｇＧｒａｎｔの通知をＥ−ＡＧＣＨを用いて行う場合、チャネル符号化部１１５にＡＧ値およびＡＧスコープを出力し、Ｅ−ＲＧＣＨを用いて行う場合、Ｓｉｇｎａｔｕｒｅ処理部１１６に現状との差分（ＵＰ、ＨＯＬＤまたはＤＯＷＮ）を通知する。また、Ｇｒａｎｔ管理部１１０は、ＳｅｒｖｉｎｇＧｒａｎｔからＥ−ＤＣＨデータサイズを特定し、対応する受信処理能力を確保するようＵＬリソース管理部１０９に通知する。
【００４１】
なお、Ｇｒａｎｔ管理部１１０は、ＳｅｒｖｉｎｇＧｒａｎｔを管理するために、ＲＴＷＰ算出部１０８が算出するＲＴＷＰを参照してもよいし、ビットレート算出部１１３が算出するＥ−ＤＣＨの伝送レートを参照するようにしてもよい。
【００４２】
Ｅ−ＤＣＨデータバッファ１１１は、Ｅ−ＤＰＤＣＨ復号部１０３が出力したＥ−ＤＣＨデータを一時的に記憶するバッファメモリである。Ｅ−ＤＣＨデータは、送信元の移動局に応じて区分して記憶されており、ＨＡＲＱ制御部１１４によって適宜読み出される。また、Ｅ−ＤＣＨデータバッファ１１１は、ＨＡＲＱ制御部１１４からの指示に応じて、記憶しているＥ−ＤＣＨデータをネットワークインタフェース１１２に出力する。
【００４３】
ネットワークインタフェース１１２は、Ｉｕｂ回線を確立して、ＲＮＣ３００と通信を行う。例えば、ネットワークインタフェース１１２は、Ｅ−ＤＣＨデータバッファ１１１から取得したＥ−ＤＣＨデータを、カプセル化などのパケット処理を行ってＲＮＣ３００に送信する。また、ＲＴＷＰ算出部１０８から取得するＲＴＷＰ情報やビットレート算出部１１３から取得するレート情報を、制御情報としてＲＮＣ３００に送信する。
【００４４】
ビットレート算出部１１３は、Ｅ−ＤＰＣＣＨ復号部１０５から取得したＥ−ＤＰＣＣＨの情報に基づいてＥ−ＤＣＨの伝送レートを各移動局について算出する。そして、ビットレート算出部１１３は、レート情報をネットワークインタフェース１１２に出力する。
【００４５】
ＨＡＲＱ制御部１１４は、Ｅ−ＤＣＨデータバッファ１１１からＥ−ＤＣＨデータを読み出し、誤り検出処理を行う。誤りが検出された場合、誤り検出結果としてＮＡＣＫをＳｉｇｎａｔｕｒｅ処理部１１６に通知すると共に、誤りを含むＥ−ＤＣＨデータをＥ−ＤＣＨデータバッファ１１１に残す。一方、誤りが検出されなかった場合、誤り検出結果としてＡＣＫをＳｉｇｎａｔｕｒｅ処理部１１６に通知すると共に、Ｅ−ＤＣＨデータをＥ−ＤＣＨデータバッファ１１１からネットワークインタフェース１１２に出力させる。
【００４６】
チャネル符号化部１１５は、Ｇｒａｎｔ管理部１１０から取得したＡＧ値およびＡＧスコープを、Ｅ−ＡＧＣＨで送信する情報として移動局毎に符号化する。そして、チャネル符号化部１１５は、符号化後の信号を拡散部１１７に出力する。
【００４７】
Ｓｉｇｎａｔｕｒｅ処理部１１６は、Ｇｒａｎｔ管理部１１０から取得した相対的な電力変更通知（ＵＰ、ＨＯＬＤまたはＤＯＷＮ）を、Ｅ−ＲＧＣＨで送信する信号に変換する。また、Ｓｉｇｎａｔｕｒｅ処理部１１６は、ＨＡＲＱ制御部１１４から取得した誤り検出結果の通知（ＡＣＫまたはＮＡＣＫ）を、Ｅ−ＨＩＣＨで送信する信号に変換する。複数の移動局宛ての通知がある場合は、それぞれ多重化される。そして、Ｓｉｇｎａｔｕｒｅ処理部１１６は、生成した信号を拡散部１１７に出力する。
【００４８】
拡散部１１７は、チャネル符号化部１１５から取得したＥ−ＡＧＣＨ信号と、Ｓｉｇｎａｔｕｒｅ処理部１１６から取得したＥ−ＲＧＣＨ信号およびＥ−ＨＩＣＨ信号とに対して、拡散処理を行う。そして、拡散部１１７は、得られた送信ベースバンド信号を無線送信部１１９に対して出力する。
【００４９】
送信電力制御部１１８は、無線基地局１００の送信電力を制御する。例えば、送信電力制御部１１８は、基準とする下り通信チャネルに対する下り通信チャネルそれぞれの電力オフセットを予め設定しておくことで、各下り通信チャネルの送信電力を決定する。そして、送信電力制御部１１８は、拡散部１１７が出力した信号を各下り通信チャネルの送信電力に応じて補正する。
【００５０】
無線送信部１１９は、送信電力に応じて補正された送信ベースバンド信号に対して、Ｄ／Ａ（Digital to Analog）変換や周波数帯の変換などの無線信号処理を行う。そして、無線送信部１１９は、得られた送信信号を、アンテナを介して移動局２００，２００ａ，２００ｂ，２００ｃに対して出力する。なお、別個に送信用アンテナと受信用アンテナとを設けてもよいし、送信・受信共用のアンテナを設けてもよい。
【００５１】
図４は、移動局を示すブロック図である。移動局２００は、無線受信部２０１、逆拡散部２０２、チャネル復号部２０３、Ｓｉｇｎａｔｕｒｅ処理部２０４、ＨＡＲＱ制御部２０５、多重化部２０６、Ｅ−ＴＦＣ選択部２０７、Ｅ−ＤＰＤＣＨ符号化部２０８、Ｅ−ＤＰＣＣＨ符号化部２０９、拡散部２１０、送信電力制御部２１１および無線送信部２１２を有する。なお、移動局２００ａ，２００ｂ，２００ｃも、移動局２００と同様のブロック構成によって実現できる。
【００５２】
無線受信部２０１は、アンテナを介して無線基地局１００からの信号を受信し、受信信号に対して周波数帯の変換やＡ／Ｄ変換などの無線信号処理を行う。そして、無線受信部２０１は、得られた受信ベースバンド信号を、逆拡散部２０２に出力する。
【００５３】
逆拡散部２０２は、無線受信部２０１から取得した受信ベースバンド信号に対して逆拡散を行い、各下り通信チャネルの信号を抽出（復調）する。逆拡散を行う際の拡散コードは、例えば、移動局２００に予め割り当てたものを使用する。そして、逆拡散部２０２は、復調されたＥ−ＡＧＣＨ信号をチャネル復号部２０３に出力すると共に、Ｅ−ＲＧＣＨ信号およびＥ−ＨＩＣＨ信号をＳｉｇｎａｔｕｒｅ処理部２０４に出力する。
【００５４】
チャネル復号部２０３は、逆拡散部２０２から取得したＥ−ＡＧＣＨ信号を復号して、移動局２００宛てのＡＧ値およびＡＧスコープを抽出する。そして、チャネル復号部２０３は、ＡＧ値およびＡＧスコープをＥ−ＴＦＣ選択部２０７に出力する。
【００５５】
Ｓｉｇｎａｔｕｒｅ処理部２０４は、逆拡散部２０２から取得したＥ−ＲＧＣＨ信号に基づいて、電力変更の指示内容（ＵＰ、ＨＯＬＤまたはＤＯＷＮ）を判断する。そして、電力変更の指示内容をＥ−ＴＦＣ選択部２０７に通知する。また、Ｓｉｇｎａｔｕｒｅ処理部２０４は、逆拡散部２０２から取得したＥ−ＨＩＣＨ信号に基づいて、データ送信の結果（ＡＣＫ、ＮＡＣＫまたはＤＴＸ）を判断する。ＡＣＫは送信成功、ＮＡＣＫは誤りが検出されたこと、ＤＴＸはデータが認識されなかったこと（応答なし）を意味する。そして、送信結果をＨＡＲＱ制御部２０５に通知する。
【００５６】
ＨＡＲＱ制御部２０５は、Ｅ−ＤＣＨデータの再送信を制御する。ＨＡＲＱ制御部２０５は、Ｓｉｇｎａｔｕｒｅ処理部２０４からＡＣＫを取得した場合、新たなＥ−ＤＣＨデータを送信すると決定する。一方、ＮＡＣＫまたはＤＴＸを取得した場合、前に送信したＥ−ＤＣＨデータを再送信すると決定する。そして、ＨＡＲＱ制御部２０５は、何れのＥ−ＤＣＨデータを送信するかＥ−ＤＰＤＣＨ符号化部２０８に指示する。
【００５７】
また、ＨＡＲＱ制御部２０５は、多重化部２０６からＥ−ＤＣＨデータの送信サイズの情報を取得し、Ｅ−ＤＣＨデータサイズに対応するＥ−ＴＦＣＩ特定する。そして、Ｅ−ＴＦＣＩと再送回数を示すＲＳＮとを、Ｅ−ＤＰＤＣＨ符号化部２０８およびＥ−ＤＰＣＣＨ符号化部２０９に出力する。
【００５８】
多重化部２０６は、Ｅ−ＴＦＣ選択部からＥ−ＤＰＤＣＨの送信可能サイズの情報を取得し、ＭＡＣ（Medium Access Control）−ｅ層やＭＡＣ−ｅｓ層などの通信層における多重化処理を考慮して、Ｅ−ＤＣＨデータの送信サイズを決定する。そして、多重化部２０６は、Ｅ−ＤＣＨデータサイズをＨＡＲＱ制御部２０５に通知する。
【００５９】
Ｅ−ＴＦＣ選択部２０７は、チャネル復号部２０３から取得したＥ−ＡＧＣＨの情報またはＳｉｇｎａｔｕｒｅ処理部２０４から取得したＥ−ＲＧＣＨの情報に基づいて、許可送信電力の範囲内で送信可能なＥ−ＤＰＤＣＨのデータサイズを判断する。そして、Ｅ−ＴＦＣ選択部２０７は、Ｅ−ＤＰＤＣＨの送信可能サイズを多重化部２０６に通知する。
【００６０】
Ｅ−ＤＰＤＣＨ符号化部２０８は、ＨＡＲＱ制御部２０５から通知されるＲＳＮに対応する符号化パターンに従ってＥ−ＤＣＨデータを符号化し、Ｅ−ＴＦＣＩが示すサイズに適合するＥ−ＤＰＤＣＨ信号を生成する。また、Ｅ−ＤＰＤＣＨ符号化部２０８は、データ送信が許可されていない状態でデータ送信の開始／再開を要求する場合、スケジューリング情報を符号化し、Ｅ−ＤＰＤＣＨ信号を生成する。そして、Ｅ−ＤＰＤＣＨ符号化部２０８は、符号化後のＥ−ＤＰＤＣＨ信号を拡散部２１０に出力する。
【００６１】
Ｅ−ＤＰＣＣＨ符号化部２０９は、ＨＡＲＱ制御部２０５から取得したＥ−ＴＦＣＩおよびＲＳＮを符号化して、Ｅ−ＤＰＣＣＨ信号を生成する。そして、Ｅ−ＤＰＣＣＨ符号化部２０９は、符号化後のＥ−ＤＰＣＣＨ信号を拡散部２１０に出力する。
【００６２】
拡散部２１０は、Ｅ−ＤＰＤＣＨ符号化部２０８から取得したＥ−ＤＰＤＣＨ信号およびＥ−ＤＰＣＣＨ符号化部２０９から取得したＥ−ＤＰＣＣＨ信号に対して、拡散処理を行う。そして、拡散部２１０は、得られた送信ベースバンド信号を無線送信部２１２に対して出力する。
【００６３】
送信電力制御部２１１は、移動局２００の送信電力を制御する。例えば、送信電力制御部２１１は、上り通信チャネルそれぞれの電力オフセットを決定する。Ｅ−ＤＰＣＣＨの電力オフセットは予め設定しておき、Ｅ−ＤＰＤＣＨの電力オフセットは送信されるデータサイズから決定することが考えられる。そして、送信電力制御部２１１は、拡散部２１０が出力した信号を各上り通信チャネルの送信電力に応じて補正する。
【００６４】
無線送信部２１２は、送信電力に応じて補正された送信ベースバンド信号に対して、Ｄ／Ａ変換や周波数帯の変換などの無線信号処理を行う。そして、無線送信部２１２は、得られた送信信号を、アンテナを介して無線基地局１００に対して出力する。なお、別個に送信用アンテナと受信用アンテナとを設けてもよいし、送信・受信共用のアンテナを設けてもよい。
【００６５】
図５は、ＵＬリソースの割り当て例を示す図である。図５の例では、Ｅ−ＤＰＤＣＨとして使用可能な無線リソースを、４つの移動局２００，２００ａ，２００ｂ，２００ｃ（ここでは、ＭＳ＃１〜＃４と表記）に分配している。横軸が時間を示しており、縦軸が無線リソースの割り当て量を示している。２ミリ秒周期のＴＴＩ（Transmission Time Interval）が、８個のＨＡＲＱプロセス（ＨＡＲＱプロセス＃０〜＃７）に分割されて管理されている。移動局２００，２００ａ，２００ｂ，２００ｃには、ＨＡＲＱプロセス単位で無線リソースの割り当てを行うことができる。
【００６６】
各ＨＡＲＱプロセスで使用可能な無線リソースの総量は、例えば、無線基地局１００のＥ−ＤＰＤＣＨの受信能力（逆拡散の能力など）によって制限を受ける。受信処理の負荷は、移動局２００，２００ａ，２００ｂ，２００ｃが使用する拡散コードの数や拡散率と関連する。同時に使用される拡散コードが多いほど受信負荷が高く、また、拡散率が低いチャネルほど受信負荷が高くなる。
【００６７】
ここでは、移動局２００（ＭＳ＃１）および移動局２００ｂ（ＭＳ＃３）は、全てのＨＡＲＱプロセスでデータ送信が許可されており、Ｅ−ＤＣＨデータのための無線リソースが割り当てられている。移動局２００ａ（ＭＳ＃２）は、全てのＨＡＲＱプロセスでデータ送信が許可されておらず、Ｅ−ＤＣＨデータを送信できない。ただし、スケジューリング情報のための無線リソースが割り当てられており、データ送信の開始／再開を要求することができる。移動局２００ｃ（ＭＳ＃４）は、ＨＡＲＱプロセス＃２，＃５でデータ送信が許可されていないが、それ以外のＨＡＲＱプロセスでデータ送信が許可されている。
【００６８】
無線基地局１００は、移動局に全てのＨＡＲＱプロセスでデータ送信を停止させるときは、例えば、Ｅ−ＡＧＣＨで“ＺＥＲＯ＿ＧＲＡＮＴ”を通知する。一部のＨＡＲＱプロセスでデータ送信を停止させるときは、ＡＧスコープによってＨＡＲＱプロセスを指定して“ＩＮＡＣＴＩＶＥ”を送信する。一方、移動局にデータ送信を再開させるときは、Ｅ−ＡＧＣＨでＺＥＲＯ＿ＧＲＡＮＴ，ＩＮＡＣＴＩＶＥ以外のＡＧ値を送信する。
【００６９】
移動局２００，２００ａ，２００ｂ，２００ｃは、ＺＥＲＯ＿ＧＲＡＮＴやＩＮＡＣＴＩＶＥが通知された場合、全部または一部のＨＡＲＱプロセスでＥ−ＤＣＨデータの送信を停止する。Ｅ−ＤＣＨデータの送信を再開したい場合（例えば、送信すべきＥ−ＤＣＨが発生した場合）は、Ｅ−ＤＰＤＣＨでスケジューリング情報を無線基地局１００に送信する。
【００７０】
なお、図５の例では、データ送信が許可されていないＨＡＲＱプロセスの全てでスケジューリング情報のための無線リソース（control onlyのリソース）が確保されているが、control onlyのリソースは必ず確保されるとは限らない。control onlyのリソースが確保されていないタイミングでは、移動局はスケジューリング情報を送信しても、無線基地局１００で認識されないため応答を得られない。その場合、例えば、移動局はスケジューリング情報を無線基地局１００に再送する。
【００７１】
次に、このような移動通信システムにおいて実行される上りリンク通信の制御について詳細に説明する。まず、移動局２００で実行される処理について説明し、その後、無線基地局１００で実行される処理について説明する。
【００７２】
図６は、移動局のＵＬ送信制御を示すフローチャートである。ここでは移動局２００について考えるが、移動局２００ａ，２００ｂ，２００ｃでも同様の処理を実行できる。以下、図６に示す処理をステップ番号に沿って説明する。
【００７３】
［ステップＳ１１］ＨＡＲＱ制御部２０５は、無線基地局１００に送信するユーザデータとしてのＥ−ＤＣＨデータが発生したことを検知する。これは、例えば、Ｅ−ＤＣＨデータを一時的に保持するバッファメモリ（図４では不図示）を監視することで行う。すると、ＨＡＲＱ制御部２０５は、Ｅ−ＴＦＣ選択部２０７に使用可能な無線リソースの確認を指示する。
【００７４】
［ステップＳ１２］Ｅ−ＴＦＣ選択部２０７は、Ｅ−ＤＣＨデータを送信しようとするＨＡＲＱプロセスについて、データ送信を許可するＳｅｒｖｉｎｇＧｒａｎｔが自局に与えられているか、すなわち、ＺＥＲＯ＿ＧＲＡＮＴ，ＩＮＡＣＴＩＶＥ以外のＡＧ値が通知されているか判断する。ＳｅｒｖｉｎｇＧｒａｎｔが与えられている場合、処理をステップＳ１５に進める。ＳｅｒｖｉｎｇＧｒａｎｔが与えられていない場合、処理をステップＳ１３に進める。
【００７５】
［ステップＳ１３］Ｅ−ＤＰＤＣＨ符号化部２０８は、ＴＥＢＳを含むスケジューリング情報を符号化する。Ｅ−ＤＰＣＣＨ符号化部２０９は、Ｅ−ＴＦＣＩを符号化する。拡散部２１０は、Ｅ−ＤＰＤＣＨ信号およびＥ−ＤＰＣＣＨ信号を拡散する。
【００７６】
［ステップＳ１４］Ｅ−ＴＦＣ選択部２０７は、ステップＳ１３のＥ−ＤＰＤＣＨ信号（スケジューリング情報）に対する応答として、データ送信を許可するＳｅｒｖｉｎｇＧｒａｎｔを得られたか、すなわち、ＺＥＲＯ＿ＧＲＡＮＴ，ＩＮＡＣＴＩＶＥ以外のＡＧ値を受信したか判断する。ＳｅｒｖｉｎｇＧｒａｎｔを得られた場合、処理をステップＳ１５に進める。ＳｅｒｖｉｎｇＧｒａｎｔを得られなかった場合、処理をステップＳ１３に進め、スケジューリング情報を再送信する。
【００７７】
［ステップＳ１５］Ｅ−ＤＰＤＣＨ符号化部２０８は、送信するＥ−ＤＣＨデータを符号化する。Ｅ−ＤＰＣＣＨ符号化部２０９は、Ｅ−ＴＦＣＩを符号化する。拡散部２１０は、Ｅ−ＤＰＤＣＨ信号およびＥ−ＤＰＣＣＨ信号を拡散する。なお、Ｅ−ＤＣＨデータを連続的に送信するために、Ｅ−ＤＣＨデータと併せてスケジューリング情報をＥ−ＤＰＤＣＨで送信してもよい。
【００７８】
このようにして、移動局２００は、ユーザデータとしてのＥ−ＤＣＨデータが発生すると、データ送信の許可を確認する。データ送信が許可されていない場合、許可が得られるまでＥ−ＤＰＤＣＨでスケジューリング情報を送信する。データ送信の許可が得られた場合、許可送信電力に応じたサイズのＥ−ＤＣＨデータをＥ−ＤＰＤＣＨで送信する。
【００７９】
図７は、無線基地局のＵＬ受信制御を示すフローチャートである。この処理は、無線基地局１００において繰り返し（例えば、定期的に）実行される。以下、図７に示す処理をステップ番号に沿って説明する。
【００８０】
［ステップＳ２１］Ｇｒａｎｔ管理部１１０は、無線基地局１００に接続している移動局（移動局２００，２００ａ，２００ｂ，２００ｃ）から未選択のものを１つ選択する。
［ステップＳ２２］Ｇｒａｎｔ管理部１１０は、ステップＳ２１で選択した移動局に、何れかのＨＡＲＱプロセスについて、データ送信を許可するＳｅｒｖｉｎｇＧｒａｎｔを与えているか、すなわち、ゼロより大きい許可送信電力を設定しているか判断する。ＳｅｒｖｉｎｇＧｒａｎｔを与えている場合、処理をステップＳ２３に進める。ＳｅｒｖｉｎｇＧｒａｎｔを与えていない場合、処理をステップＳ２４に進める。
【００８１】
［ステップＳ２３］Ｇｒａｎｔ管理部１１０は、ステップＳ２１で選択した移動局に、Ｅ−ＤＣＨデータを送信するためのＥ−ＤＰＤＣＨの無線リソースを割り当てる。なお、割り当て量は、例えば、それまでに受信しているスケジューリング情報などに基づいて判断することがきる。
【００８２】
［ステップＳ２４］Ｇｒａｎｔ管理部１１０は、ステップＳ２１で無線基地局１００に接続している全ての移動局を選択したか判断する。全ての移動局を選択した場合、処理をステップＳ２５に進める。未選択の移動局がある場合、処理をステップＳ２１に進める。
【００８３】
［ステップＳ２５］Ｇｒａｎｔ管理部１１０は、各ＨＡＲＱプロセスについて、ステップＳ２３でＥ−ＤＣＨデータ用の無線リソースが割り当てられなかった移動局が存在する場合、スケジューリング情報を送信するための無線リソース（control onlyのリソース）を割り当てる処理を行う。割り当てる無線リソースは、その時点で余っているＥ−ＤＰＤＣＨの無線リソースである。処理の詳細は後で説明する。
【００８４】
［ステップＳ２６］ＵＬリソース管理部１０９は、ステップＳ２３およびステップＳ２５で無線リソースを割り当てた移動局からの信号を処理するよう、Ｅ−ＤＰＤＣＨ逆拡散部１０２およびＥ−ＤＰＤＣＨ復号部１０３に指示する。Ｅ−ＤＰＤＣＨ逆拡散部１０２は、指示された移動局の拡散符号を逆拡散する。Ｅ−ＤＰＤＣＨ復号部１０３は、指示された移動局のＥ−ＤＰＤＣＨ信号を復号する。
【００８５】
［ステップＳ２７］Ｇｒａｎｔ管理部１１０は、ステップＳ２６の逆拡散・復号によって、データ送信を許可していない移動局からのスケジューリング情報を抽出できたか判断する。スケジューリング情報を抽出できた場合、処理をステップＳ２８に進める。スケジューリング情報を抽出できなかった場合、処理を終了する。
【００８６】
［ステップＳ２８］Ｇｒａｎｔ管理部１１０は、スケジューリング情報の送信元の移動局について許可送信電力を決定する。チャネル符号化部１１５は、ＺＥＲＯ＿ＧＲＡＮＴ，ＩＮＡＣＴＩＶＥ以外のＡＧ値およびＡＧスコープを符号化する。拡散部１１７は、Ｅ−ＡＧＣＨ信号を拡散する。
【００８７】
このようにして、無線基地局１００は、現時点でデータ送信を許可している移動局に対して、Ｅ−ＤＣＨデータ用の無線リソースを優先的に割り当てる。その後、残っているＥ−ＤＰＤＣＨの無線リソースを利用して、データ送信を許可していない移動局に対して、スケジューリング情報用の無線リソースを割り当てる。無線基地局１００は、後者の無線リソースによってスケジューリング情報を受信した場合、送信元にデータ送信の許可を与える処理を行う。
【００８８】
なお、データ送信を許可していない移動局に対して、スケジューリング情報用の無線リソースが必ず割り当てられるとは限らない。Ｅ−ＤＰＤＣＨの無線リソースはできる限りＥ−ＤＣＨデータ用として使用し、Ｅ−ＤＣＨデータ用として使用できない半端な量の無線リソースをスケジューリング情報用として使用するようにしてもよい。スケジューリング情報用の無線リソースが割り当てられたか否かは、データ送信を許可していない移動局に通知してもよいし、通知しなくてもよい。
【００８９】
図８は、第１の実施の形態のスケジューリング情報用リソース管理を示すフローチャートである。このフローチャートは、前述のステップＳ２５で実行される処理の詳細を示している。以下、図８に示す処理をステップ番号に沿って説明する。
【００９０】
［ステップＳ３１］Ｇｒａｎｔ管理部１１０は、無線基地局１００に接続している移動局（移動局２００，２００ａ，２００ｂ，２００ｃ）から未選択のものを１つ選択する。
［ステップＳ３２］Ｇｒａｎｔ管理部１１０は、ステップＳ３１で選択した移動局に、データ送信を許可するＳｅｒｖｉｎｇＧｒａｎｔを与えているか判断する。ＳｅｒｖｉｎｇＧｒａｎｔを与えている場合、処理をステップＳ３４に進める。ＳｅｒｖｉｎｇＧｒａｎｔを与えていない場合、処理をステップＳ３３に進める。
【００９１】
［ステップＳ３３］Ｇｒａｎｔ管理部１１０は、ステップＳ３１で選択した移動局を、スケジューリング情報用の無線リソース（control onlyのリソース）を割り当てる候補に指定する。
【００９２】
［ステップＳ３４］Ｇｒａｎｔ管理部１１０は、ステップＳ３１で無線基地局１００に接続している全ての移動局を選択したか判断する。全ての移動局を選択した場合、処理をステップＳ３５に進める。未選択の移動局がある場合、処理をステップＳ３１に進める。
【００９３】
［ステップＳ３５］Ｇｒａｎｔ管理部１１０は、ステップＳ３３で割り当て候補に指定した移動局を、所定の基準に従って順序付けする。順序付けの方法としては、例えば、ラウンドロビン方式により、スケジューリング情報用の無線リソースが前回割り当てられなかった移動局を、高順位とする方法が考えられる。また、上位層の通信チャネルである論理チャネルから通知される各移動局のクラス（優先度）に従って、順位付けする方法も考えられる。
【００９４】
［ステップＳ３６］Ｇｒａｎｔ管理部１１０は、Ｅ−ＤＰＤＣＨの無線リソースに余りがあり、かつ、無線リソースが未割り当てである候補が存在するか判断する。上記条件に該当する場合、処理をステップＳ３７に進める。無線リソースの余りがないか、または、無線リソースが未割り当てである候補が存在しない場合、処理を終了する。
【００９５】
［ステップＳ３７］Ｇｒａｎｔ管理部１１０は、無線リソースが未割り当てである候補のうち順位の最も高い移動局に対して、スケジューリング情報用の（例えば、所定量の）無線リソースを割り当てる。そして、処理をステップＳ３６に進める。
【００９６】
このようにして、無線基地局１００は、データ送信を許可していない移動局（ＺＥＲＯ＿ＧＲＡＮＴまたはＩＮＡＣＴＩＶＥを通知した移動局）を、スケジューリング情報用の無線リソースの割り当て候補に指定する。そして、残っているＥ−ＤＰＤＣＨの無線リソースの範囲内で、割り当て候補に無線リソースを割り振る。よって、スケジューリング情報用の無線リソースは常に確保されるわけではないが、各移動局はスケジューリング情報用の無線リソースの割り当てを受ける機会がある。
【００９７】
なお、図８に示した処理は、ＨＡＲＱプロセス毎に実行することができる。ただし、少なくとも１つのＨＡＲＱプロセスでＥ−ＤＣＨデータ用またはスケジューリング情報用の無線リソースが割り当てられた移動局については、他のＨＡＲＱプロセスでスケジューリング情報用の無線リソースを割り当てないようにしてもよい。また、上記ステップＳ３６およびステップＳ３７では、１つの移動局分の余り無線リソースがあるか否かを逐次確認するようにしたが、複数の移動局分の余り無線リソースがあることを確認できた場合に、一括して複数の移動局に無線リソースを割り当てるようにしてもよい。
【００９８】
図９は、スケジューリング情報用リソースの割り当て順序の管理例を示す図である。無線基地局１００のＧｒａｎｔ管理部１１０は、例えば、図９に示すようなキュー１１０ａを所定のメモリに格納して管理することで、リソース割り当ての順序を制御することができる。
【００９９】
キュー１１０ａには、スケジューリング情報用の無線リソースの割り当て候補を識別するための情報が登録される。Ｇｒａｎｔ管理部１１０は、キュー１１０ａの先頭から割り当て候補の識別情報を取り出し、その識別情報が示す移動局にスケジューリング情報用の無線リソースを割り当てる。そして、割り当てに成功すると、その識別情報をキュー１１０ａの最後尾に登録する。これにより、ラウンドロビン方式による割り当て候補のスケジューリングを実現することができる。
【０１００】
例えば、キュー１１０ａの先頭に移動局２００ａ（ＭＳ＃２）の識別情報が登録されている場合、Ｇｒａｎｔ管理部１１０は、移動局２００ａの識別情報を取り出す。そして、移動局２００ａにスケジューリング情報用の無線リソースを割り当てる。割り当て後、Ｇｒａｎｔ管理部１１０は、移動局２００ａの識別情報をキュー１１０ａの最後尾に再登録する。ただし、無線リソースの割り当て後、移動局２００ａからスケジューリング情報を受信できた場合は、識別情報をキュー１１０ａに再登録しなくてよい。
【０１０１】
なお、クラス（優先度）が高い移動局の識別情報は、最後尾ではなく途中に割り込ませるようにしてもよい。また、クラス毎にキューを用意し、クラスが高い移動局用のキューから優先的に識別情報を取り出すようにしてもよい。これにより、Ｇｒａｎｔ管理部１１０は、クラスに応じた割り当て候補のスケジューリングを実現することができる。
【０１０２】
図１０は、ＵＬリソースの割り当ての変化例を示す図である。図１０は、１つのＨＡＲＱプロセスに着目して、そのＨＡＲＱプロセスにおける無線リソースの割り当て状況の時間変化を例示している。ここでは、２ミリ秒のＴＴＩ単位で無線リソースの割り当てを管理する場合を考える。また、移動局２００（ＭＳ＃１）、移動局２００ｂ（ＭＳ＃３）およびその他の少なくとも１つの移動局がデータ送信中であり、移動局２００ａ（ＭＳ＃２）および移動局２００ｃ（ＭＳ＄４）がデータ送信の停止中である状況を考える。
【０１０３】
この例で、１番目のＴＴＩでは、移動局２００，２００ｂを含む複数の移動局がＥ−ＤＣＨデータを送信するための無線リソースとして１００％の無線リソースが使用される。このため、移動局２００ａ，２００ｃがスケジューリング情報を送信するための無線リソースを確保できない。
【０１０４】
２番目のＴＴＩでは、移動局２００，２００ｂを含む複数の移動局がＥ−ＤＣＨデータを送信するための無線リソースを確保しても、スケジューリング情報を送信するための無線リソースを１つの移動局分だけ確保できる。そこで、例えば、移動局２００ａ（ＭＳ＃２）にスケジューリング情報用の無線リソースが割り当てられる。３番目のＴＴＩでは、２番目のＴＴＩと同様に、スケジューリング情報を送信するための無線リソースを１つの移動局分だけ確保できる。そこで、前回無線リソースが割り当てられなかった移動局２００ｃ（ＭＳ＃４）にスケジューリング情報用の無線リソースが割り当てられる。
【０１０５】
４番目のＴＴＩでは、移動局２００，２００ｂを含む複数の移動局がＥ−ＤＣＨデータを送信するための無線リソースを確保しても、スケジューリング情報を送信するための無線リソースを少なくとも２つの移動局分確保できる。そこで、移動局２００ａ（ＭＳ＃２）と移動局２００ｃ（ＭＳ＃４）の両方にスケジューリング情報用の無線リソースが割り当てられる。ここで、４番目のＴＴＩで、移動局２００ｃからスケジューリング情報を受信したとする。
【０１０６】
５番目のＴＴＩでは、移動局２００ｃがＥ−ＤＣＨデータの送信を開始し、移動局２００，２００ｂ，２００ｃを含む複数の移動局に、Ｅ−ＤＣＨデータを送信するための無線リソースが割り当てられる。その結果、データ送信用に１００％の無線リソースが使用される。このため、移動局２００ａがスケジューリング情報を送信するための無線リソースを確保できない。
【０１０７】
第１の実施の形態に係る移動通信システムによれば、データ送信が許可された移動局のために、上りデータチャネルの無線リソースが優先的に確保される。そして、上りデータチャネルの余った無線リソース（例えば、データ送信に使用できない半端な量の無線リソース）が、データ送信が許可されていない移動局のために利用される。このため、上り送信データの発生に備えて全ての移動局に常に無線リソースを割り当てておくことを回避できる。よって、データ送信用の無線リソースをより多く確保することができ、上りリンク通信のスループットを向上させることができる。
【０１０８】
なお、上記の通信制御方法は、無線基地局１００に接続する移動局が所定数より多くなった場合にのみ実行することも可能である。すなわち、無線基地局１００に接続する移動局が少ないときは、常にスケジューリング情報用の無線リソースを確保しておくようにしてもよい。これにより、移動局数が少ないときのリソース管理の負荷を低減できる。
【０１０９】
［第２の実施の形態］
次に、第２の実施の形態を図面を参照して詳細に説明する。前述の第１の実施の形態との相違点を中心に説明し、同様の事項については説明を省略する。第２の実施の形態に係る移動通信システムでは、スケジューリング情報を送信している移動局を検出した場合、その移動局により早く無線リソースが割り当てられるよう制御する。
【０１１０】
第２の実施の形態に係る移動通信システムは、図２に示した第１の実施の形態のものと同様のシステム構成によって実現できる。また、第２の実施の形態に係る無線基地局および移動局は、図３，４に示した第１の実施の形態のものと同様のモジュール構成によって実現できる。ただし、無線リソースの管理方法が第１の実施の形態と異なる。以下では、第１の実施の形態と同様の符号を用いて第２の実施の形態を説明する。
【０１１１】
図１１は、第２の実施の形態のスケジューリング情報用リソース管理を示すフローチャートである。このフローチャートは、第１の実施の形態で述べたステップＳ２５で実行される処理の詳細を示している。以下、図１１に示す処理をステップ番号に沿って説明する。なお、第２の実施の形態では、Ｅ−ＤＰＣＣＨについて、データ送信を許可していない移動局も含めて、常に逆拡散および復号を行っているとする。
【０１１２】
［ステップＳ４１］Ｇｒａｎｔ管理部１１０は、無線基地局１００に接続している移動局（移動局２００，２００ａ，２００ｂ，２００ｃ）から未選択のものを１つ選択する。
［ステップＳ４２］Ｇｒａｎｔ管理部１１０は、ステップＳ４１で選択した移動局に、データ送信を許可するＳｅｒｖｉｎｇＧｒａｎｔを与えているか判断する。ＳｅｒｖｉｎｇＧｒａｎｔを与えている場合、処理をステップＳ４６に進める。ＳｅｒｖｉｎｇＧｒａｎｔを与えていない場合、処理をステップＳ４３に進める。
【０１１３】
［ステップＳ４３］Ｇｒａｎｔ管理部１１０は、ステップＳ４１で選択した移動局のＥ−ＤＰＣＣＨに含まれるＥ−ＴＦＣＩ（Ｅ−ＤＣＨデータの送信サイズを示す指標）を確認する。Ｅ−ＴＦＣＩ＝０を受信している場合、Ｅ−ＤＰＤＣＨでスケジューリング情報が送信されていると判断し、処理をステップＳ４４に進める。一方、Ｅ−ＴＦＣＩ＝０を受信していない場合、Ｅ−ＤＰＤＣＨでスケジューリング情報は送信されていないと判断し、処理をステップＳ４５に進める。
【０１１４】
［ステップＳ４４］Ｇｒａｎｔ管理部１１０は、ステップＳ４１で選択した移動局を、スケジューリング情報用の無線リソースを優先的に割り当てる候補（優先割り当て候補）に指定する。
【０１１５】
［ステップＳ４５］Ｇｒａｎｔ管理部１１０は、ステップＳ４１で選択した移動局を、スケジューリング情報用の無線リソースを通常の順位で割り当てる候補（通常割り当て候補）に指定する。
【０１１６】
［ステップＳ４６］Ｇｒａｎｔ管理部１１０は、ステップＳ４１で無線基地局１００に接続している全ての移動局を選択したか判断する。全ての移動局を選択した場合、処理をステップＳ４７に進める。未選択の移動局がある場合、処理をステップＳ４１に進める。
【０１１７】
［ステップＳ４７］Ｇｒａｎｔ管理部１１０は、ステップＳ４４およびステップＳ４５で割り当て候補に指定した移動局を順序付けする。このとき、優先割り当て候補が通常割り当て候補よりも高い順位になるようにする。優先割り当て候補間の順位付けおよび通常割り当て候補間の順位付けは、例えば、第１の実施の形態で述べた方法を用いる。
【０１１８】
［ステップＳ４８］Ｇｒａｎｔ管理部１１０は、Ｅ−ＤＰＤＣＨの無線リソースに余りがあり、かつ、無線リソースが未割り当てである候補が存在するか判断する。上記条件に該当する場合、処理をステップＳ４９に進める。それ以外の場合、処理を終了する。
【０１１９】
［ステップＳ４９］Ｇｒａｎｔ管理部１１０は、無線リソースが未割り当てである候補のうち順位の最も高い移動局に対して、スケジューリング情報用の無線リソースを割り当てる。そして、処理をステップＳ４８に進める。
【０１２０】
このようにして、無線基地局１００は、データ送信を許可していない移動局を、スケジューリング情報用の無線リソースの割り当て候補に指定する。このとき、Ｅ−ＤＰＣＣＨ信号に基づいて、各移動局がスケジューリング情報を送信しているか判断し、スケジューリング情報を送信している移動局の優先度を上げる。すなわち、データ送信の開始／再開を要求している移動局が無線リソースの割り当てを受けられる確率を高くする。
【０１２１】
第２の実施の形態に係る移動通信システムによれば、第１の実施の形態と同様の効果が得られる。更に、第２の実施の形態に係る移動通信システムを用いることで、既にスケジューリング情報を送信中である移動局に無線リソースが割り当てられる確率が高くなる。よって、データ送信が許可されていない移動局がスケジューリング情報を再送する回数を低減でき、データ送信を開始／再開するまでの遅延時間を短縮できる。
【０１２２】
［第３の実施の形態］
次に、第３の実施の形態を図面を参照して詳細に説明する。前述の第１の実施の形態との相違点を中心に説明し、同様の事項については説明を省略する。第３の実施の形態に係る移動通信システムでは、無線基地局が受信したスケジューリング情報に誤りが検出されたために、ＨＡＲＱに従ってスケジューリング情報を再送しようとする移動局がある場合は、その移動局に、より早く無線リソースが割り当てられるよう制御する。
【０１２３】
第３の実施の形態に係る移動通信システムは、図２に示した第１の実施の形態のものと同様のシステム構成によって実現できる。また、第３の実施の形態に係る無線基地局および移動局は、図３，４に示した第１の実施の形態のものと同様のモジュール構成によって実現できる。ただし、無線リソースの管理方法が第１の実施の形態と異なる。以下では、第１の実施の形態と同様の符号を用いて第３の実施の形態を説明する。
【０１２４】
図１２は、第３の実施の形態のスケジューリング情報用リソース管理を示すフローチャートである。このフローチャートは、第１の実施の形態で述べたステップＳ２５で実行される処理の詳細を示している。以下、図１２に示す処理をステップ番号に沿って説明する。なお、第３の実施の形態では、Ｅ−ＤＰＣＣＨについて、データ送信を許可していない移動局も含めて、常に逆拡散および復号を行っているとする。
【０１２５】
［ステップＳ５１］Ｇｒａｎｔ管理部１１０は、無線基地局１００に接続している移動局（移動局２００，２００ａ，２００ｂ，２００ｃ）から未選択のものを１つ選択する。
［ステップＳ５２］Ｇｒａｎｔ管理部１１０は、ステップＳ５１で選択した移動局に、データ送信を許可するＳｅｒｖｉｎｇＧｒａｎｔを与えているか判断する。ＳｅｒｖｉｎｇＧｒａｎｔを与えている場合、処理をステップＳ５６に進める。ＳｅｒｖｉｎｇＧｒａｎｔを与えていない場合、処理をステップＳ５３に進める。
【０１２６】
［ステップＳ５３］Ｇｒａｎｔ管理部１１０は、ステップＳ５１で選択した移動局のＥ−ＤＰＣＣＨに含まれるＥ−ＴＦＣＩを確認する。また、受信済みのスケジューリング情報がある場合、スケジューリング情報の誤り検出（例えば、巡回冗長検査（ＣＲＣ：Cyclic Redundancy Check））結果を確認する。Ｅ−ＴＦＣＩ＝０で誤り検出結果がＮＧの場合、処理をステップＳ５４に進める。それ以外の場合、処理をステップＳ５５に進める。
【０１２７】
［ステップＳ５４］Ｇｒａｎｔ管理部１１０は、ステップＳ５１で選択した移動局を、スケジューリング情報用の無線リソースを優先的に割り当てる候補（優先割り当て候補）に指定する。
【０１２８】
［ステップＳ５５］Ｇｒａｎｔ管理部１１０は、ステップＳ５１で選択した移動局を、スケジューリング情報用の無線リソースを通常の順位で割り当てる候補（通常割り当て候補）に指定する。
【０１２９】
［ステップＳ５６］Ｇｒａｎｔ管理部１１０は、ステップＳ５１で無線基地局１００に接続している全ての移動局を選択したか判断する。全ての移動局を選択した場合、処理をステップＳ５７に進める。未選択の移動局がある場合、処理をステップＳ５１に進める。
【０１３０】
［ステップＳ５７］Ｇｒａｎｔ管理部１１０は、ステップＳ５４およびステップＳ５５で割り当て候補に指定した移動局を順序付けする。このとき、優先割り当て候補が通常割り当て候補よりも高い順位になるようにする。
【０１３１】
［ステップＳ５８］Ｇｒａｎｔ管理部１１０は、Ｅ−ＤＰＤＣＨの無線リソースに余りがあり、かつ、無線リソースが未割り当てである候補が存在するか判断する。上記条件に該当する場合、処理をステップＳ５９に進める。それ以外の場合、処理を終了する。
【０１３２】
［ステップＳ５９］Ｇｒａｎｔ管理部１１０は、無線リソースが未割り当てである候補のうち順位の最も高い移動局に対して、スケジューリング情報用の無線リソースを割り当てる。そして、処理をステップＳ５８に進める。
【０１３３】
このようにして、無線基地局１００は、データ送信を許可していない移動局を、スケジューリング情報用の無線リソースの割り当て候補に指定する。ここで、受信したスケジューリング情報がある場合、誤り検出結果に基づいて、各移動局がスケジューリング情報を再送するか判断し、再送する移動局の優先度を上げる。すなわち、スケジューリング情報を再送する移動局が無線リソースの割り当てを受けられる確率を高くする。
【０１３４】
第３の実施の形態に係る移動通信システムによれば、第１の実施の形態と同様の効果が得られる。更に、第３の実施の形態に係る移動通信システムを用いることで、スケジューリング情報を再送する移動局に無線リソースが割り当てられる確率が高くなる。よって、スケジューリング情報の再送回数を低減でき、データ送信を開始／再開するまでの遅延時間を短縮できる。
【０１３５】
なお、第２の実施の形態と第３の実施の形態とを組み合わせた移動通信システムを考えることもできる。すなわち、データ送信が許可されていない移動局を、（１）Ｅ−ＴＦＣＩ＝０かつスケジューリング情報が受信されて誤り検出結果がＮＧの移動局、（２）Ｅ−ＴＦＣＩ＝０だがスケジューリング情報が受信されなかった移動局、（３）それ以外の移動局に分類し、（１）＞（２）＞（３）の順で優先付けする方法も考えられる。
【０１３６】
［第４の実施の形態］
次に、第４の実施の形態を図面を参照して詳細に説明する。前述の第３の実施の形態との相違点を中心に説明し、同様の事項については説明を省略する。第４の実施の形態に係る移動通信システムでは、優先割り当て候補の移動局に割り当てる無線リソースが不足している場合に、Ｅ−ＤＣＨデータ用の無線リソースを削減して、スケジューリング情報用の無線リソースを確保する。
【０１３７】
第４の実施の形態に係る移動通信システムは、図２に示した第１の実施の形態のものと同様のシステム構成によって実現できる。また、第４の実施の形態に係る無線基地局および移動局は、図３，４に示した第１の実施の形態のものと同様のモジュール構成によって実現できる。ただし、無線リソースの管理方法が第１の実施の形態と異なる。以下では、第１の実施の形態と同様の符号を用いて第４の実施の形態を説明する。
【０１３８】
図１３は、第４の実施の形態のスケジューリング情報用リソース管理を示すフローチャートである。以下、図１３に示す処理をステップ番号に沿って説明する。
［ステップＳ６１］Ｇｒａｎｔ管理部１１０は、無線基地局１００に接続している移動局（移動局２００，２００ａ，２００ｂ，２００ｃ）から未選択のものを１つ選択する。
【０１３９】
［ステップＳ６２］Ｇｒａｎｔ管理部１１０は、ステップＳ６１で選択した移動局に、データ送信を許可するＳｅｒｖｉｎｇＧｒａｎｔを与えているか判断する。ＳｅｒｖｉｎｇＧｒａｎｔを与えている場合、処理をステップＳ６６に進める。ＳｅｒｖｉｎｇＧｒａｎｔを与えていない場合、処理をステップＳ６３に進める。
【０１４０】
［ステップＳ６３］Ｇｒａｎｔ管理部１１０は、ステップＳ６１で選択した移動局のＥ−ＤＰＣＣＨに含まれるＥ−ＴＦＣＩを確認する。また、受信済みのスケジューリング情報がある場合、スケジューリング情報の誤り検出結果を確認する。Ｅ−ＴＦＣＩ＝０で誤り検出結果がＮＧの場合、処理をステップＳ６４に進める。それ以外の場合、処理をステップＳ６５に進める。
【０１４１】
［ステップＳ６４］Ｇｒａｎｔ管理部１１０は、ステップＳ６１で選択した移動局を、スケジューリング情報用の無線リソースを優先的に割り当てる候補（優先割り当て候補）に指定する。
【０１４２】
［ステップＳ６５］Ｇｒａｎｔ管理部１１０は、ステップＳ６１で選択した移動局を、スケジューリング情報用の無線リソースを通常の順位で割り当てる候補（通常割り当て候補）に指定する。
【０１４３】
［ステップＳ６６］Ｇｒａｎｔ管理部１１０は、ステップＳ６１で無線基地局１００に接続している全ての移動局を選択したか判断する。全ての移動局を選択した場合、処理をステップＳ６７に進める。未選択の移動局がある場合、処理をステップＳ６１に進める。
【０１４４】
［ステップＳ６７］Ｇｒａｎｔ管理部１１０は、ステップＳ６４およびステップＳ６５で割り当て候補に指定した移動局を順序付けする。このとき、優先割り当て候補が通常割り当て候補よりも高い順位になるようにする。
【０１４５】
［ステップＳ６８］Ｇｒａｎｔ管理部１１０は、Ｅ−ＤＰＤＣＨの無線リソースに余りがあり、かつ、無線リソースが未割り当てである候補が存在するか判断する。上記条件に該当する場合、処理をステップＳ６９に進める。それ以外の場合、処理をステップＳ７０に進める。
【０１４６】
［ステップＳ６９］Ｇｒａｎｔ管理部１１０は、無線リソースが未割り当てである候補のうち順位の最も高い移動局に対して、スケジューリング情報用の無線リソースを割り当てる。そして、処理をステップＳ６８に進める。
【０１４７】
［ステップＳ７０］Ｇｒａｎｔ管理部１１０は、無線リソースが未割り当てである優先割り当て候補が存在するか判断する。存在する場合、処理をステップＳ７１に進める。存在しない場合、処理をステップＳ７２に進める。
【０１４８】
［ステップＳ７１］Ｇｒａｎｔ管理部１１０は、データ送信を許可している移動局の中から削除対象とする移動局を選択する。そして、選択した移動局に割り当てたＥ−ＤＣＨデータ用の無線リソースの一部または全部を削除して、空きリソースとする。削除対象とする移動局の選択方法は後で説明する。その後、処理をステップＳ６９に進める。
【０１４９】
［ステップＳ７２］Ｇｒａｎｔ管理部１１０は、ステップＳ７１でＥ−ＤＣＨデータ用の無線リソースを削除された移動局がある場合、削除後の割り当てリソース量に対応するＳｅｒｖｉｎｇＧｒａｎｔを、Ｅ−ＡＧＣＨまたはＥ−ＲＧＣＨで通知する。
【０１５０】
このようにして、無線基地局１００は、データ送信を許可していない移動局を、スケジューリング情報用の無線リソースの割り当て候補に指定する。このとき、受信済みのスケジューリング情報の誤り検出結果に応じて、割り当て候補の優先度を判断する。そして、優先割り当て候補に割り当てる無線リソースが不足している場合、Ｅ−ＤＣＨデータ用の無線リソースを削減して、空きリソースを確保する。
【０１５１】
ここで、上記ステップＳ７１で削除対象とする移動局を選択する方法としては、種々の方法が考えられる。以下では、２つの選択方法の例を挙げる。
図１４は、リソース削除処理の第１の例を示すフローチャートである。このフローチャートは、前述のステップＳ７１で実行される処理の詳細を示している。以下、図１４に示す処理をステップ番号に沿って説明する。
【０１５２】
［ステップＳ８１］Ｇｒａｎｔ管理部１１０は、基準伝送レートの初期値として、想定し得る最大のＥ−ＤＣＨの伝送レートより大きい値（例えば、最大のＥ−ＤＣＨの伝送レートに１を加えた値）を設定する。
【０１５３】
［ステップＳ８２］Ｇｒａｎｔ管理部１１０は、無線基地局１００に接続している移動局（移動局２００，２００ａ，２００ｂ，２００ｃ）から未選択のものを１つ選択する。
［ステップＳ８３］Ｇｒａｎｔ管理部１１０は、ステップＳ８２で選択した移動局にＥ−ＤＣＨデータ用の無線リソースを割り当てているか判断する。割り当てている場合、処理をステップＳ８４に進める。割り当てていない場合、処理をステップＳ８６に進める。
【０１５４】
［ステップＳ８４］Ｇｒａｎｔ管理部１１０は、ステップＳ８２で選択した移動局のＥ−ＤＣＨの伝送レート（例えば、ビットレート算出部１１３で算出した伝送レート）が、基準伝送レートより小さいか判断する。基準伝送レートより小さい場合、処理をステップＳ８５に進める。基準伝送レート以上である場合、処理をステップＳ８６に進める。
【０１５５】
［ステップＳ８５］Ｇｒａｎｔ管理部１１０は、削除対象の候補を、ステップＳ８２で選択した移動局に設定する。また、Ｇｒａｎｔ管理部１１０は、基準伝送レートを、その移動局のＥ−ＤＣＨの伝送レートに設定する。
【０１５６】
［ステップＳ８６］Ｇｒａｎｔ管理部１１０は、ステップＳ８２で無線基地局１００に接続している全ての移動局を選択したか判断する。全ての移動局を選択した場合、処理をステップＳ８７に進める。未選択の移動局がある場合、処理をステップＳ８２に進める。
【０１５７】
［ステップＳ８７］Ｇｒａｎｔ管理部１１０は、現在の削除対象の候補を、削除対象の移動局に決定する。そして、Ｇｒａｎｔ管理部１１０は、削除対象の移動局に割り当てている無線リソースの一部または全部を削除し、空きリソースとする。
【０１５８】
このようにして、無線基地局１００は、データ送信が許可された移動局のうち、Ｅ−ＤＣＨの伝送レートが最も低い移動局を、無線リソースの割り当てを削減する移動局として選択する。現在の伝送レートに基づいて判断するため、上りデータ通信のスループットの低下をできる限り抑制することができる。
【０１５９】
図１５は、リソース削除処理の第２の例を示すフローチャートである。このフローチャートは、前述のステップＳ７１で実行される処理の詳細を示している。以下、図１５に示す処理をステップ番号に沿って説明する。
【０１６０】
［ステップＳ９１］Ｇｒａｎｔ管理部１１０は、基準クラスの初期値として、移動局のクラス（優先度）を示す値として設定され得る最大値よりも大きい値（例えば、最大値に１を加えた値）を設定する。
【０１６１】
［ステップＳ９２］Ｇｒａｎｔ管理部１１０は、無線基地局１００に接続している移動局（移動局２００，２００ａ，２００ｂ，２００ｃ）から未選択のものを１つ選択する。
［ステップＳ９３］Ｇｒａｎｔ管理部１１０は、ステップＳ９２で選択した移動局にＥ−ＤＣＨデータ用の無線リソースを割り当てているか判断する。割り当てている場合、処理をステップＳ９４に進める。割り当てていない場合、処理をステップＳ９７に進める。
【０１６２】
［ステップＳ９４］Ｇｒａｎｔ管理部１１０は、ステップＳ９２で選択した移動局のクラスが、優先割り当て候補のクラス以下であるか判断する。優先割り当て候補のクラス以下である場合、処理をステップＳ９５に進める。優先割り当て候補のクラスより上位である場合、処理をステップＳ９７に進める。
【０１６３】
［ステップＳ９５］Ｇｒａｎｔ管理部１１０は、ステップＳ９２で選択した移動局のクラスが、基準クラスより下位であるか判断する。基準クラスより下位である場合、処理をステップＳ９６に進める。基準クラス以上である場合、処理をステップＳ９７に進める。
【０１６４】
［ステップＳ９６］Ｇｒａｎｔ管理部１１０は、削除対象の候補を、ステップＳ９２で選択した移動局に設定する。また、Ｇｒａｎｔ管理部１１０は、基準クラスを、その移動局のクラスに設定する。
【０１６５】
［ステップＳ９７］Ｇｒａｎｔ管理部１１０は、ステップＳ９２で無線基地局１００に接続している全ての移動局を選択したか判断する。全ての移動局を選択した場合、処理をステップＳ９８に進める。未選択の移動局がある場合、処理をステップＳ９２に進める。
【０１６６】
［ステップＳ９８］Ｇｒａｎｔ管理部１１０は、現在の削除対象の候補を、削除対象の移動局に決定する。そして、Ｇｒａｎｔ管理部１１０は、削除対象の移動局に割り当てている無線リソースの一部または全部を削除し、空きリソースとする。
【０１６７】
このようにして、無線基地局１００は、データ送信が許可された移動局のうち、優先割り当て候補よりもクラスが低く、かつ、その中で最もクラスが低い移動局を、無線リソースの割り当てを削減する移動局として選択する。各移動局に設定されたクラスに基づいて判断するため、無線基地局１００におけるリソース管理の負荷を抑制できる。
【０１６８】
第４の実施の形態に係る移動通信システムによれば、第３の実施の形態と同様の効果が得られる。更に、第４の実施の形態に係る移動通信システムを用いることで、少なくともスケジューリング情報を再送する移動局には、スケジューリング情報用の無線リソースが割り当てられる。よって、データ送信を開始／再開するまでの遅延時間をより短縮することができる。なお、第４の実施の形態では、第３の実施の形態のようにＥ−ＴＦＣＩ＝０かつ誤り検出結果がＮＧの移動局を優先割り当て候補としたが、第２の実施の形態のようにＥ−ＴＦＣＩ＝０の移動局を優先割り当て候補としてもよい。
【図面の簡単な説明】
【０１６９】
【図１】無線基地局の例を示す図である。
【図２】移動通信システムのシステム構成を示す図である。
【図３】無線基地局を示すブロック図である。
【図４】移動局を示すブロック図である。
【図５】ＵＬリソースの割り当て例を示す図である。
【図６】移動局のＵＬ送信制御を示すフローチャートである。
【図７】無線基地局のＵＬ受信制御を示すフローチャートである。
【図８】第１の実施の形態のスケジューリング情報用リソース管理を示すフローチャートである。
【図９】スケジューリング情報用リソースの割り当て順序の管理例を示す図である。
【図１０】ＵＬリソースの割り当ての変化例を示す図である。
【図１１】第２の実施の形態のスケジューリング情報用リソース管理を示すフローチャートである。
【図１２】第３の実施の形態のスケジューリング情報用リソース管理を示すフローチャートである。
【図１３】第４の実施の形態のスケジューリング情報用リソース管理を示すフローチャートである。
【図１４】リソース削除処理の第１の例を示すフローチャートである。
【図１５】リソース削除処理の第２の例を示すフローチャートである。
【符号の説明】
【０１７０】
１  無線基地局
１ａ  制御部
１ｂ  受信部
２，３，４  通信装置
【図１】
2010153971.tif 000003
【図２】
2010153971.tif 000004
【図３】
2010153971.tif 000005
【図４】
2010153971.tif 000006
【図５】
2010153971.tif 000007
【図６】
2010153971.tif 000008
【図７】
2010153971.tif 000009
【図８】
2010153971.tif 000010
【図９】
2010153971.tif 000011
【図１０】
2010153971.tif 000012
【図１１】
2010153971.tif 000013
【図１２】
2010153971.tif 000014
【図１３】
2010153971.tif 000015
【図１４】
2010153971.tif 000016
【図１５】
2010153971.tif 000017